(57)【要約】【課題】  記録再生装置において、記録再生媒体を記録再生装置にディスク認識させることなく、簡単に記録内容のチェックをする。【解決手段】  ディスク状媒体に情報を記録、もしくは前記ディスク状媒体上の情報を再生する光ピックアップを装備し、光ピックアップにより、ディスク状媒体のレーベル面に印刷が可能な記録再生装置であって、ディスク状媒体の記録内容の一覧を、２次元コードとして、光ピックアップにより、ディスク状媒体のレーベル面に記録する。【選択図】図１
2008084447.tif 000002
【特許請求の範囲】
【請求項１】
ディスク状媒体に情報を記録、もしくは前記ディスク状媒体に記録された情報を再生する光ピックアップを装備し、前記光ピックアップにより、前記ディスク状媒体のレーベル面に印刷が可能な記録再生装置であって、
前記ディスク状媒体の記録内容の一覧を、２次元コードとして、前記光ピックアップにより、前記ディスクの前記レーベル面に記録することを特徴とする記録再生装置。
【請求項２】
前記光ピックアップにより、ディスク状媒体のレーベル面に印刷された前記ディスク状媒体の記録内容の一覧を示す２次元コードを読み取ることが可能なことを特徴とする請求項1に記載の記録再生装置。
【請求項３】
ディスク状媒体に情報を記録、もしくは前記ディスク状媒体に記録された情報を再生する光ピックアップを装備した記録再生装置であって、
前記ディスク状媒体の記録内容の一覧を、２次元コードとして、前記光ピックアップとは別の印刷素子により、前記ディスクの前記レーベル面に記録することを特徴とする記録再生装置。
【請求項４】
前記光ピックアップとは別の2次元コード読み取り素子により、ディスク状媒体のレーベル面に印刷された前記ディスク状媒体の記録内容の一覧を示す２次元コードを読み取ることが可能なことを特徴とする請求項３に記載の記録再生装置。
【請求項５】
電子番組表からの録画予約により、ディスク状媒体にコンテンツを記録時に、前記番組情報に対応するユニークな２次元コードを、前記ディスク状媒体のレーベル面に印刷することが可能な、記録再生装置であって、
前記記録再生装置が、前記２次元コード読み取り、ネットワーク経由で、前記２次元コードに応じた番組情報を復元し、前記記録再生装置に表示することを特徴とする請求項１から４に記載の記録再生装置。
【請求項６】
前記２次元コードは、電子番組表からの録画予約により、ディスク状媒体にコンテンツを記録時に、前記番組情報に対応するユニークな２次元コードであり、
前記記録再生装置が、前記２次元コード読み取り、ネットワーク経由で、前記２次元コードに応じた番組情報を復元し、前記記録再生装置に接続された映像表示装置上に表示することを特徴とする請求項１から４に記載の記録再生装置。
【請求項７】
前記２次元コードは、電子番組表からの録画予約により、ディスク状媒体にコンテンツを記録時に、前記番組情報に対応するユニークな２次元コードであり、
前記記録再生装置とは別の２次元コードの読み取り可能な携帯電話で読み取ることが可能なように２次元コードを、ディスク状媒体のレーベル面に印刷することを特徴とする請求項１から4に記載の記録再生装置。
【発明の詳細な説明】
【技術分野】
【０００１】
本発明は、ディスク状記録媒体の記録再生装置であって、特にレーベル面に印刷をするものに関する。
【背景技術】
【０００２】
記録再生装置は、記憶容量の技術的進歩、電子番組表(以下EPGと称す)の普及による時間指定記録の簡単化などにより、単一の記録再生媒体に複数のコンテンツを記録することが増えている。
【０００３】
一方、記憶容量の進歩の過程で、記録再生装置には、記憶容量の異なる複数の規格や、記憶容量が同一ながら異なる追記型もしくは書き換え型の規格などが存在している。
【０００４】
使用者の使い勝手の観点からは、単一の記録再生装置での、複数の規格に準拠することが求められている。そのため、記録装置は、媒体認識過程において、使用者が記録装置の準拠するいずれかの規格の記録再生媒体であるかを認識する必要となった。
【０００５】
よって、媒体挿入時の規格認識工程の増加を一要因として、記録再生装置のサポートする規格の増大に応じて、記録再生媒体認識時間が増大している。そのため、記録再生媒体の内容のチェックを行うにあたり、記録再生媒体を記録再生装置に挿入するだけで、時間を要し、使用者の使い勝手を劣化させている。
【０００６】
このような背景のもと、例えば、特許文献１では、「記録媒体の記録内容が書き換わっても、記録媒体のレーベル面の目視可能な情報と記録内容とを一致させるようにして、記録媒体の記録内容を読み出して表示する等による確認の手間をなくし、一目で記録内容を認識することができる記録媒体および記録再生装置を提供する」記録再生装置が開示されている。
【０００７】
【特許文献１】特開２００５−２８５２０１号公報
【発明の開示】
【発明が解決しようとする課題】
【０００８】
特許文献１によれば、記録再生媒体内の記録内容を記録再生内容が更新されるたびにレーベル面に目視可能な情報を記録することになる。そのため、前記のとおり、記録容量は新規格が制定されるたびに増大の一途をたどり、記録内容が多数にわたる場合は、レーベル面の目視情報が見づらくなるなどの弊害や、記録物そのものとレーベル面の記録内容書式との関連付けに自由度があり、かえって一覧性にかけるなどの課題がある。
【０００９】
なお、ディスクのレーベル面にレーザ光を照射し、レーベル面を焼き、文字や画像等を記録することを、いわゆる印刷すること同じように、レーベル面に印刷する、レーベル面を印刷する、と表現する。また、このレーベル面の印刷の技術としては、lightScribeやLabelfrashという規格が存在する。
【００１０】
本発明は、前記課題を解決するためのものであり、記録再生装置における、記録内容の簡単なチェックを行うことが可能な記録再生装置を提供することにある。
【課題を解決するための手段】
【００１１】
ディスク状媒体に情報を記録、もしくは前記ディスク状媒体上の情報を再生する光ピックアップを装備し、前記光ピックアップにより、前記ディスク状媒体のレーベル面に印刷が可能な記録再生装置であって、前記ディスク状媒体の記録内容の一覧を、２次元コードとして、前記光ピックアップにより、前記ディスクの前記レーベル面に記録することを特徴とする記録再生装置とした。
【００１２】
さらには、ディスク状媒体に情報を記録、もしくは前記ディスク状媒体上の情報を再生する光ピックアップを装備し、前記光ピックアップにより、ディスク状媒体のレーベル面に印刷された、前記ディスク状媒体の記録内容の一覧を示す２次元コードを読み取ることが可能なことを特徴とする記録再生装置とした。
【００１３】
または、ディスク状媒体に情報を記録、もしくは前記ディスク状媒体上の情報を再生する光ピックアップを装備し、前記光ピックアップにより、前記ディスク状媒体のレーベル面に印刷が可能な記録再生装置であって、前記ディスク状媒体の記録内容の一覧を、２次元コードとして、前記光ピックアップとはべつの印刷素子により、前記ディスクの前記レーベル面に記録することを特徴とする記録再生装置とした。
【００１４】
さらには、ディスク状媒体に情報を記録、もしくは前記ディスク状媒体上の情報を再生する光ピックアップを装備し、前記光ピックアップとは別の2次元コード読み取り素子により、ディスク状媒体のレーベル面に印刷された、前記ディスク状媒体の記録内容の一覧を示す２次元コードを読み取ることが可能なことを特徴とする記録再生装置とした。
【００１５】
または、電子番組表からの録画予約により、ディスク状媒体にコンテンツを記録時に、前記番組情報に対応するユニークな２次元コードを、前記ディスク状媒体のレーベル面に印刷することが可能な、記録再生装置において、前記記録再生装置が、前記２次元コード読み取り時に、ネットワーク経由で、前記２次元コードに応じた番組情報を復元し、前記記録再生装置に表示することを特徴とする、記録再生装置とした。
【００１６】
または、電子番組表からの録画予約により、ディスク状媒体にコンテンツを記録時に、前記番組情報に対応するユニークな２次元コードを、前記ディスク状媒体のレーベル面に印刷することが可能な、記録再生装置において、前記記録再生装置が、前記２次元コード読み取り時に、ネットワーク経由で、前記２次元コードに応じた番組情報を復元し、前記記録再生装置に接続された映像表示装置上に表示することを特徴とする記録再生装置とした。
【００１７】
または、電子番組表からの録画予約により、ディスク状媒体にコンテンツを記録時に、前記番組情報に対応するユニークな２次元コードを、前記ディスク状媒体のレーベル面に印刷することが可能な、記録再生装置において、前記記録再生装置とは別の、２次元コードの読み取り可能な携帯電話で、前記携帯電話で読み取ることが可能なように２次元コードを、ディスク状媒体のレーベル面に印刷することを特徴とする記録再生装置とした。
【発明の効果】
【００１８】
本発明によれば、記録再生装置における、記録内容の簡単なチェックを行うことが可能な記録再生装置を提供できる。
【発明を実施するための最良の形態】
【００１９】
以下、本発明に係る記録再生装置の実施形態について図面を参照して説明する。
【００２０】
図１は、本発明の実施の形態を示すフローチャートである。本発明では、まず、ユーザが記録再生装置にデータを記録再生するために、記録再生面を主としてディスク状媒体挿入処理１を行う。続いて、記録再生装置は図示しないディスク認識過程を経て、データ記録再生準備可能状態２となる。その後、ユーザの指示によりデータ記録処理３が行われる。ここで、ユーザは一旦ディスク排出処理４を行う。
【００２１】
その後、ユーザはディスク状媒体を裏返し、レーベル面印刷を行うために、レーベル面を主としてディスク状媒体挿入処理５を行う。続いて、記録再生装置は図示しないディスク認識過程等を経て、レーベル面印刷準備完了状態６となる。その後、ユーザの指示により、データ面に記録したデータ内容を示す２次元コードをレーベル面印刷処理７が行われる。
【００２２】
２次元コードは以下に示すような方法で記録再生装置により再生される。図２に、２次元コード再生処理フローを示す。まず、レーベル面記録時と同様にユーザはすでに２次元コードが印刷済のレーベル面を主として記録再生装置にディスク状媒体挿入処理８を行う。続いて、記録再生装置は図示しないディスク認識過程等を経て、レーベル面再生準備完了状態９となる。その後、レーベル面再生処理１０が行われ、ユーザにレーベル面再生内容の表示(ディスク内容表示)処理１１となる。ここでは、レーベル面再生処理について詳細に説明しないが、既存のBurst Cutting Area再生処理の2次元方向(ディスクに垂直な方向を除くディスク水平面方向２次元)への応用で可能となる。
【００２３】
これまでの実施例は、記録再生装置には、少なくとも1つの記録再生ヘッドが搭載されている例で説明したが、これは、少なくとも1つのデータ記録再生用のヘッドと、少なくとも１つのレーベル面印刷用素子の構成でも可能である。以下、図を用いて説明する。図３は、少なくとも1つの記録再生ヘッドが搭載され、さらに少なくとも1つのレーベル面印刷用素子が搭載された記録再生装置の概略構成図である。
【００２４】
記録再生装置５０内には、ディスク状媒体５１がセットされ、ディスクモータ５４にてディスクが回転される。ディスク状媒体のデータ記録面５５にデータを記録するための記録ヘッド５２が装備される。ディスク状媒体のレーベル面５６への２次元コード印刷のための記録ヘッド５３がディスク状媒体５１のレーベル面５６側に装備される。２次元コードはデータ記録と同様にディスクモータ５４にてディスクが回転されることにより、印刷される。
【００２５】
これまでの実施例では、記録再生装置内に、ディスク状媒体を挿入して利用する例を示してきたが、２次元コードの読み取りは以下に示す方法で記録再生装置内に２次元コード読み取り用素子を配置しなくても可能である。
【００２６】
図４は、記録再生装置の前面に２次元コード読み取り用素子を配置した概略構成図である。2次元コード読み取り素子５９は記録再生装置５０の前面に装備される。ディスク状媒体５１はディスク取り出しボタン５７からの指示もしくは記録再生装置自身からの指示により、ディスク挿入口５８よりとりだされる。取り出されたディスク状媒体５１の２次元コードの印刷されたレーベル面５５がユーザにより、２次元コード読み取り素子５９にかざされる。この状態で記録再生装置５０はディスク状媒体５１の２次元コードを読み取りことが可能となる。
【００２７】
また、これまでの実施例では、２次元コード読み取り素子を記録再生装置の前面に装備した例を示したが、２次元コード読み取り装置は記録再生装置内に装備されていても実現できる。図５に、２次元コード読み取り素子が記録再生装置内に装備された概略構成図を示す。
【００２８】
２次元コード読み取り素子５９は記録再生装置５０内のディスク状媒体５１の２次元コードを印刷するレーベル面５６に対面的に装備される。ディスク状媒体はディスクモータ５４により回転し、２次元コード読み取り素子５９が移動することで、２次元コードを読み取る。
【００２９】
これまでは、２次元コードの読み取りを中心に説明してきた。続いて、読み取った２次元コードの表示について説明する。図６は、２次元コードを読み取り、ディスク状媒体の内容表示する、記録再生装置の概略構成図を示す。記録再生装置５０には、ディスク内容を表示する表示部６０を持っている。EPGから予約され、ディスク状媒体にデータが記録された場合には、そのEPGと対応の取れる２次元コードがディスク状媒体のレーベル面に印刷される。
【００３０】
その印刷された２次元コードは、これまで示してきたような方法で読み取られる。その読み取られたデータはネットワーク６１を経由し、ネットワーク上のサーバ６２上で先のEPGデータと照合し、デコードされ、表示部６０にディスク状媒体の内容が元EPGデータに対応する形で表示される。ディスク状媒体の内容表示は記録再生装置に接続された表示装置でもかまわない。
【００３１】
図７はディスク状媒体の内容を記録再生装置に接続された表示装置に表示する概略構成図である。記録再生装置５０は表示装置６３と接続され、図中６４のように、ディスク内容が表示される。
【００３２】
これまでは、２次元コードの読み取り素子が記録再生装置に備わっている例を示してきたが、これは、携帯電話でも可能である。図８は携帯電話を使ったディスク状媒体の記録内容表示の概略構成図である。
【００３３】
携帯電話６５には２次元コード読み取り部６６があり、そこに、ディスク状媒体５１の２次元コードの印刷されたレーベル面５５をかざし、２次元コードを読み取る。読み取られたデータはワイヤレスネットワーク６７を通じサーバ６２と接続される。その後、既に説明したような、EPGデータと２次元コードとの認証、デコードが行われ、図示しない携帯電話の表示部にディスク状媒体の記録内容が表示される。
【図面の簡単な説明】
【００３４】
【図１】本発明に係わる実施の形態を示すフロー図である。
【図２】本発明に係わる実施の形態を示すフロー図である。
【図３】本発明に係わる実施の形態を示す概略構成図である。
【図４】本発明に係わる実施の形態を示す概略構成図である。
【図５】本発明に係わる実施の形態を示す概略構成図である。
【図６】本発明に係わる実施の形態を示す概略構成図である。
【図７】本発明に係わる実施の形態を示す概略構成図である。
【図８】本発明に係わる実施の形態を示す概略構成図である。
【符号の説明】
【００３５】
１…ディスク状媒体挿入処理(記録再生面)、  ２…データ記録再生準備可能状態、
３…データ記録処理、  ４…ディスク排出処理、  ５…ディスク状媒体挿入処理、
６…レーベル面印刷準備完了、
７…データ内容を示す２次元コードをレーベル面印刷処理、
８…ディスク状媒体挿入処理（レーベル面）、  ９…レーベル面再生準備完了状態、
10…レーベル面再生処理、  11…再生内容の表示処理、  50…記録再生装置、
51…ディスク状媒体、  52…データ記録再生ヘッド、  53…２次元コード記録ヘッド、
54…ディスクモータ、  55…データ記録面、  56…レーベル面、
57…ディスク取り出しボタン、  58…ディスク挿入口、
59…２次元コード読み取り素子、  60…ディスク内容表示部、  61…ネットワーク、
62…サーバ、  63…表示装置、  64…表示装置内のディスク内容表示部、
65…携帯電話、  66…携帯電話の２次元コード読み取り部、
67…ワイヤレスネットワーク。
【図１】
2008084447.tif 000003
【図２】
2008084447.tif 000004
【図３】
2008084447.tif 000005
【図４】
2008084447.tif 000006
【図５】
2008084447.tif 000007
【図６】
2008084447.tif 000008
【図７】
2008084447.tif 000009
【図８】
2008084447.tif 000010